(57)【要約】【課題】他の閉店業務を阻害することなく、営業終了後の締上げ処理を正確に行うことを課題とする。【解決手段】価値管理装置１０では、プリペイド度数や持ち玉などの価値項目について保管処理または取込処理のいずれを実行するのかをあらかじめ任意に設定しておき、遊技店の営業終了後にプリペイド残度数ありもしくは持ち玉ありのプリペイドカードがＣＲユニット４０内に存在する場合には、価値項目ごとに定めておいた設定に従ってプリペイド残度数もしくは持ち玉を保管処理または取込処理する。【選択図】        図２
2010088517.tif 000002
【特許請求の範囲】
【請求項１】
遊技に供する遊技用記録媒体を収納するとともに前記遊技用記録媒体のうち関連付け対象とする遊技用記録媒体の識別情報に価値高を関連付けるように依頼する台間機に接続され、前記遊技用記録媒体の識別情報ごとに複数の価値項目の価値高を対応付けて記憶する価値管理手段を有する価値管理装置であって、
前記価値項目ごとに当該価値項目の価値高を別管理して保管する保管処理を行うか、或いはゼロクリアして取り込む取込処理を行うかを示す保管／取込設定を記憶する保管／取込設定記憶手段と、
所定の条件が成立した場合に、前記台間機で前記関連付け対象とされた遊技用記録媒体の識別情報に関連付けられる価値項目の価値高もしくは前記価値管理手段によって当該遊技用記録媒体の識別情報に既に対応付けて記憶された価値項目の価値高を前記価値項目の種別に応じて取得する価値高取得手段と、
前記価値高取得手段によって取得された各価値項目の価値高の有無を判定する価値高有無判定手段と、
前記価値高有無判定手段によっていずれかの価値項目に価値高が存在すると判定された場合に、当該価値高が存在する価値項目の価値高を前記保管／取込設定記憶手段によって前記価値項目ごとに記憶された保管／取込設定に従って保管処理または取込処理する保管／取込処理手段と
を備えたことを特徴とする価値管理装置。
【請求項２】
前記価値高有無判定手段によって価値高が存在すると判定された価値項目の設定として保管設定が記憶されていた場合に、前記関連付け対象とされた遊技用記録媒体を保持する台間機に当該遊技用記録媒体を排出するように指示する排出指示手段をさらに備えたことを特徴とする請求項１に記載の価値管理装置。
【請求項３】
前記遊技用記録媒体に関連付けられた価値項目の価値高を取り込んだ取込履歴を記憶する取込履歴記憶手段をさらに備え、
前記保管／取込処理手段によって価値高が取込処理された場合に、当該取込処理が実行された取込日付、価値項目、価値高、遊技用記録媒体の識別情報及び／又は台間機の識別情報を前記取込履歴として前記取込履歴記憶手段に登録する取込履歴登録手段をさらに備えたことを特徴とする請求項１または２に記載の価値管理装置。
【請求項４】
前記価値高取得手段によって価値高が取得された遊技用記録媒体が予め登録処理された遊技店会員に付与される会員用記録媒体としての機能を兼務する記録媒体であるか否かを判定する会員可否判定手段をさらに備え、
前記保管／取込処理手段は、
前記会員可否判定手段によって前記会員用記録媒体としての機能を兼務する記録媒体であると判定された場合に、前記価値高有無判定手段によって価値高が存在すると判定された価値項目の種別が持ち遊技媒体であり、かつ該持ち遊技媒体の設定として保管設定が記憶されていた場合に、当該持ち遊技媒体の価値高を貯遊技媒体の価値高に移行することを特徴とする請求項１、２または３に記載の価値管理装置。
【請求項５】
遊技に供する遊技用記録媒体を収納するとともに前記遊技用記録媒体のうち関連付け対象とする遊技用記録媒体の識別情報に価値高を関連付けるように依頼する台間機に接続され、前記遊技用記録媒体の識別情報ごとに複数の価値項目の価値高を対応付けて記憶する価値管理手段を有する価値管理装置に適用する価値管理方法であって、
前記価値項目ごとに当該価値項目の価値高を別管理して保管する保管処理を行うか、或いはゼロクリアして取り込む取込処理を行うかを示す保管／取込設定を保管／取込設定記憶手段に登録する保管／取込設定登録工程と、
所定の操作者から指示入力を受け付けた場合もしくは所定の時刻に至った場合に、前記台間機で前記関連付け対象とされた遊技用記録媒体の識別情報に関連付けられる価値項目の価値高もしくは前記価値管理手段によって当該遊技用記録媒体の識別情報に既に対応付けて記憶された価値項目の価値高を前記価値項目の種別に応じて取得する価値高取得工程と、
前記価値高取得工程によって取得された各価値項目の価値高の有無を判定する価値高有無判定工程と、
前記価値高有無判定工程によっていずれかの価値項目に価値高が存在すると判定された場合に、当該価値高が存在する価値項目の価値高を前記保管／取込設定記憶手段によって前記価値項目ごとに記憶された保管／取込設定に従って保管処理または取込処理する保管／取込処理工程と
を含んだことを特徴とする価値管理方法。
【請求項６】
遊技に供する遊技用記録媒体を収納するとともに前記遊技用記録媒体のうち関連付け対象とする遊技用記録媒体の識別情報に価値高を関連付けるように依頼する台間機に接続され、前記遊技用記録媒体の識別情報ごとに複数の価値項目の価値高を対応付けて記憶する価値管理手段を有する価値管理装置と複数台の前記台間機とからなる価値管理システムであって、
前記価値管理装置は、
前記価値項目ごとに当該価値項目の価値高を別管理して保管する保管処理を行うか、或いはゼロクリアして取り込む取込処理を行うかを示す保管／取込設定を記憶する保管／取込設定記憶手段と、
所定の条件が成立した場合に、前記台間機で前記関連付け対象とされた遊技用記録媒体の識別情報に関連付けられる価値項目の価値高もしくは前記価値管理手段によって当該遊技用記録媒体の識別情報に既に対応付けて記憶された価値項目の価値高を前記価値項目の種別に応じて取得する価値高取得手段と、
前記価値高取得手段によって取得された各価値項目の価値高の有無を判定する価値高有無判定手段と、
前記価値高有無判定手段によっていずれかの価値項目に価値高が存在すると判定された場合に、当該価値高が存在する価値項目の価値高を前記保管／取込設定記憶手段によって前記価値項目ごとに記憶された保管／取込設定に従って保管処理または取込処理する保管／取込処理手段と
を備えたことを特徴とする価値管理システム。
【発明の詳細な説明】
【技術分野】
【０００１】
本発明は、遊技に供する遊技用記録媒体を収納するとともに遊技用記録媒体のうち関連付け対象とする遊技用記録媒体に複数数の価値項目を関連付ける台間機に接続され、遊技用記録媒体ごとに複数の価値項目の価値高を記憶する価値管理装置、価値管理方法、及び価値管理システムに関する。
【背景技術】
【０００２】
近年、パチンコ遊技やパチスロ遊技を提供するパチンコ店等の遊技店では、島端等に配設される計数機での遊技媒体の計数を不要化する観点から、遊技結果として投出された賞遊技媒体を各遊技台に併設される台間機の玉計数機で計数し、その計数結果を持ち遊技媒体として記憶管理しておき、この持ち遊技媒体の範囲内で再貸出しを行う各台計数システムが知られている（例えば、特許文献１参照）。
【０００３】
このような各台計数システムでは、遊技用記録媒体に従前から関連付けられていた有価価値（プリペイド残度数）に加えて、玉計数機で計数された持ち遊技媒体が遊技用記録媒体に記録された識別情報に紐付けて台間機に通信接続される上位装置で管理される。
【０００４】
【特許文献１】特開２００７−２２９１１２号公報
【発明の開示】
【発明が解決しようとする課題】
【０００５】
しかしながら、上述した従来技術（特許文献１）では、遊技店の営業終了後に台間機に持ち遊技媒体が残っている場合に、その持ち遊技媒体数を締上げ処理で計上することができないので、営業終了後の締上げ処理を正確に行うことができないとい問題がある。
【０００６】
すなわち、遊技店においては、遊技台にパチンコ玉を打ち込んだアウト数や遊技台から払い出されたセーフ数などの遊技台情報をホールコンピュータで収集管理するとともに、景品カウンタに配設される景品管理装置では、遊技用記録媒体に関連付けられた持ち遊技媒体と引き換えに景品交換が行われた交換済み遊技媒体数を記憶管理している。
【０００７】
さらに、遊技店では、セーフ数及びアウト数の差分値と交換済み遊技媒体数とを比較することにより、実際に獲得された遊技媒体数以上の景品交換が行われていないかなどの検証を締上げ処理で行っている。
【０００８】
ところが、上記の各台計数方式においては、遊技客が景品カウンタの混雑を嫌って保有する持ち遊技媒体を放置して退店するケースをはじめ、閉店直後に行われる遊技台の機器調整作業や翌日の開店間際に行われる遊技台の清掃作業などで計数部に遊技媒体が入り込むことがあり、この遊技媒体が計数されて持ち遊技媒体となるケースが存在する。
【０００９】
このような場合にそのまま締上げ処理を行うと、営業終了後に持ち遊技媒体として残留する計数値が交換済み遊技媒体数に計上されずに宙に浮いた状態となり、締上げ処理を正確に行うことができなくなってしまう。
【００１０】
このように、営業終了後に台間機で持ち遊技媒体が残っている場合に、店員がカード返却操作を行って持ち遊技媒体が関連付けられた遊技用記録媒体の発行を受け、この遊技用記録媒体を景品管理装置に持ち込み、この景品管理装置で遊技店の雑利益として持ち玉を取り込む操作を行うより、宙に浮いたままの持ち玉の所在を確定させることも考えられる。
【００１１】
しかしながら、上記の締上げ処理を正確に行うには、持ち遊技媒体が残留する全ての台間機で同様の操作を必要があるため、遊技用記録媒体の回収作業ならびに景品管理装置での取込作業を膨大な件数について行わねばならず、他の閉店業務を阻害してしまうという問題がある。
【００１２】
そこで、本発明は、上述した従来技術による課題（問題点）を解消するためになされたものであり、他の閉店業務を阻害することなく、営業終了後の締上げ処理を正確に行うことができる価値管理装置、価値管理方法、及び価値管理システムを提供することを目的とする。
【課題を解決するための手段】
【００１３】
上述した課題を解決し、目的を達成するために、本発明に係る価値管理装置は、遊技に供する遊技用記録媒体を収納するとともに前記遊技用記録媒体のうち関連付け対象とする遊技用記録媒体の識別情報に価値高を関連付けるように依頼する台間機に接続され、前記遊技用記録媒体の識別情報ごとに複数の価値項目の価値高を対応付けて記憶する価値管理手段を有する価値管理装置であって、前記価値項目ごとに当該価値項目の価値高を別管理して保管する保管処理を行うか、或いはゼロクリアして取り込む取込処理を行うかを示す保管／取込設定を記憶する保管／取込設定記憶手段と、所定の条件が成立した場合に、前記台間機で前記関連付け対象とされた遊技用記録媒体の識別情報に関連付けられる価値項目の価値高もしくは前記価値管理手段によって当該遊技用記録媒体の識別情報に既に対応付けて記憶された価値項目の価値高を前記価値項目の種別に応じて取得する価値高取得手段と、前記価値高取得手段によって取得された各価値項目の価値高の有無を判定する価値高有無判定手段と、前記価値高有無判定手段によっていずれかの価値項目に価値高が存在すると判定された場合に、当該価値高が存在する価値項目の価値高を前記保管／取込設定記憶手段によって前記価値項目ごとに記憶された保管／取込設定に従って保管処理または取込処理する保管／取込処理手段とを備えたことを特徴とする。
【００１４】
また、本発明に係る価値管理装置は、上記の発明において、前記価値高有無判定手段によって価値高が存在すると判定された価値項目の設定として保管設定が記憶されていた場合に、前記関連付け対象とされた遊技用記録媒体を保持する台間機に当該遊技用記録媒体を排出するように指示する排出指示手段をさらに備えたことを特徴とする。
【００１５】
また、本発明に係る価値管理装置は、上記の発明において、前記遊技用記録媒体に関連付けられた価値項目の価値高を取り込んだ取込履歴を記憶する取込履歴記憶手段をさらに備え、前記保管／取込処理手段によって価値高が取込処理された場合に、当該取込処理が実行された取込日付、価値項目、価値高、遊技用記録媒体の識別情報及び／又は台間機の識別情報を前記取込履歴として前記取込履歴記憶手段に登録する取込履歴登録手段をさらに備えたことを特徴とする。
【００１６】
また、本発明に係る価値管理装置は、上記の発明において、前記価値高取得手段によって価値高が取得された遊技用記録媒体が予め登録処理された遊技店会員に付与される会員用記録媒体としての機能を兼務する記録媒体であるか否かを判定する会員可否判定手段をさらに備え、前記保管／取込処理手段は、前記会員可否判定手段によって前記会員用記録媒体としての機能を兼務する記録媒体であると判定された場合に、前記価値高有無判定手段によって価値高が存在すると判定された価値項目の種別が持ち遊技媒体であり、かつ該持ち遊技媒体の設定として保管設定が記憶されていた場合に、当該持ち遊技媒体の価値高を貯遊技媒体の価値高に移行することを特徴とする。
【００１７】
また、本発明に係る価値管理方法は、遊技に供する遊技用記録媒体を収納するとともに前記遊技用記録媒体のうち関連付け対象とする遊技用記録媒体の識別情報に価値高を関連付けるように依頼する台間機に接続され、前記遊技用記録媒体の識別情報ごとに複数の価値項目の価値高を対応付けて記憶する価値管理手段を有する価値管理装置に適用する価値管理方法であって、前記価値項目ごとに当該価値項目の価値高を別管理して保管する保管処理を行うか、或いはゼロクリアして取り込む取込処理を行うかを示す保管／取込設定を保管／取込設定記憶手段に登録する保管／取込設定登録工程と、所定の操作者から指示入力を受け付けた場合もしくは所定の時刻に至った場合に、前記台間機で前記関連付け対象とされた遊技用記録媒体の識別情報に関連付けられる価値項目の価値高もしくは前記価値管理手段によって当該遊技用記録媒体の識別情報に既に対応付けて記憶された価値項目の価値高を前記価値項目の種別に応じて取得する価値高取得工程と、前記価値高取得工程によって取得された各価値項目の価値高の有無を判定する価値高有無判定工程と、前記価値高有無判定工程によっていずれかの価値項目に価値高が存在すると判定された場合に、当該価値高が存在する価値項目の価値高を前記保管／取込設定記憶手段によって前記価値項目ごとに記憶された保管／取込設定に従って保管処理または取込処理する保管／取込処理工程とを含んだことを特徴とする。
【００１８】
また、本発明に係る価値管理システムは、遊技に供する遊技用記録媒体を収納するとともに前記遊技用記録媒体のうち関連付け対象とする遊技用記録媒体の識別情報に価値高を関連付けるように依頼する台間機に接続され、前記遊技用記録媒体の識別情報ごとに複数の価値項目の価値高を対応付けて記憶する価値管理手段を有する価値管理装置と複数台の前記台間機とからなる価値管理システムであって、前記価値管理装置は、前記価値項目ごとに当該価値項目の価値高を別管理して保管する保管処理を行うか、或いはゼロクリアして取り込む取込処理を行うかを示す保管／取込設定を記憶する保管／取込設定記憶手段と、所定の条件が成立した場合に、前記台間機で前記関連付け対象とされた遊技用記録媒体の識別情報に関連付けられる価値項目の価値高もしくは前記価値管理手段によって当該遊技用記録媒体の識別情報に既に対応付けて記憶された価値項目の価値高を前記価値項目の種別に応じて取得する価値高取得手段と、前記価値高取得手段によって取得された各価値項目の価値高の有無を判定する価値高有無判定手段と、前記価値高有無判定手段によっていずれかの価値項目に価値高が存在すると判定された場合に、当該価値高が存在する価値項目の価値高を前記保管／取込設定記憶手段によって前記価値項目ごとに記憶された保管／取込設定に従って保管処理または取込処理する保管／取込処理手段とを備えたことを特徴とする。
【発明の効果】
【００１９】
本発明によれば、価値項目ごとに当該価値項目の価値高を別管理して保管する保管処理を行うか、或いはゼロクリアして取り込む取込処理を行うかを示す保管／取込設定を記憶しておき、所定の条件が成立した場合に、台間機で前記関連付け対象とされた遊技用記録媒体の識別情報に関連付けられる価値項目の価値高もしくは当該遊技用記録媒体の識別情報に既に対応付けて記憶された価値項目の価値高を価値項目の種別に応じて取得し、各価値項目の価値高の有無を判定し、いずれかの価値項目に価値高が存在すると判定した場合に、当該価値高が存在する価値項目の価値高を価値項目ごとに記憶した保管／取込設定に従って保管処理または取込処理するように構成したので、価値項目に保管処理または取込処理のいずれが設定されていた場合でも全ての価値項目の価値高の所在を明確にすることができ、これを実現するに際して従業員による遊技用記録媒体の回収作業を低減するとともに景品管理装置での取込作業を不要化することができ、他の閉店業務を阻害することなく、営業終了後の締上げ処理を正確に行うことが可能になるという効果を奏する。
【００２０】
また、本発明によれば、価値高が存在すると判定した価値項目の設定として保管設定がなされていた場合に、関連付け対象とされた遊技用記録媒体を保持する台間機に当該遊技用記録媒体を排出するように指示するように構成したので、取り忘れられた遊技用記録媒体を回収するために遊技用記録媒体の排出操作を行う必要がなくなる結果、遊技用記録媒体の回収作業を効率よく行うことが可能になるという効果を奏する。
【００２１】
また、本発明によれば、遊技用記録媒体に関連付けられた価値項目の価値高を取り込んだ取込履歴を記憶し、価値高を取込処理した場合に当該取込処理を実行した取込日付、価値項目、価値高、遊技用記録媒体の識別情報及び／又は台間機の識別情報を登録するように構成したので、遊技店の営業終了後に価値高が残されたままで放置された遊技用記録媒体に取込処理を行った場合に遊技店の雑利益に関する履歴を取ることが可能になるという効果を奏する。
【００２２】
また、本発明によれば、価値高を取得した遊技用記録媒体が予め登録処理された遊技店会員に付与される会員用記録媒体としての機能を兼務する記録媒体であるか否かを判定し、会員用記録媒体としての機能を兼務する記録媒体であると判定した場合に、価値高が存在すると判定した価値項目の種別が持ち遊技媒体であり、かつ該持ち遊技媒体の設定として保管設定がなされていた場合に、当該持ち遊技媒体の価値高を貯遊技媒体の価値高に移行するように構成したので、原則として当日限りにしか使用できない持ち遊技媒体から保管期間が限定されない貯遊技媒体に性質を変化させて管理するとともにこの保管処理に際して景品カウンタで持ち遊技媒体を貯遊技媒体に加算する作業を省き、本来の持ち遊技媒体の規定を堅持しつつ、会員に便宜を図ることが可能になるという効果を奏する。
【発明を実施するための最良の形態】
【００２３】
以下に添付図面を参照して、本発明に係る価値管理装置、価値管理方法、及び価値管理システムの好適な実施例を詳細に説明する。なお、以下では、本発明をパチンコ遊技を提供する各台計数システムに適用する場合について説明することとする。
【００２４】
まず、本実施例に係る価値管理装置を含む各台計数システムのシステム構成について説明する。図１は、本実施例に係る各台計数システムのシステム構成図である。同図に示すように、この各台計数システム１には、価値管理装置１０と、島コントローラ２０と、パチンコ機３０と、計数機能付きＣＲユニット（以下、単にＣＲユニットと言う）４０とが設けられている。
【００２５】
島コントローラ２０は、周囲を通路に囲まれたスペース（遊技島）に設けられた一群のパチンコ機３０及びＣＲユニット４０を束ねる中継装置である。
【００２６】
パチンコ機３０は、パチンコ玉を遊技領域に発射して遊技者がパチンコ遊技を行う装置であり、本実施例では、プリペイドカード対応のいわゆるＣＲパチンコ機であるものとしている。
【００２７】
ＣＲユニット４０は、遊技店内の各パチンコ機３０に併設されるカード処理ユニットであり、本実施例では、パチンコ機３０の下皿から投入されるパチンコ玉を計数する計数機能をさらに有する。具体的には、自装置が接続されたパチンコ機３０で遊技者が獲得したパチンコ玉の玉数を計数したうえでその計数値を持ち玉として保持しておき、持ち玉返却操作を受け付けた場合には、現存する持ち玉数の範囲内で持ち玉を投出し、カード返却（排出）操作を受け付けた場合には、持ち玉を関連付けたプリペイドカードを発行する。
【００２８】
また、ＣＲユニット４０は、従来と同様、投入された現金を有価価値（プリペイド残度数）としてプリペイドカードに関連付けたり、プリペイドカードに関連付けられたプリペイド残度数と引き換えに貸し玉を投出するいわゆる玉貸しの機能を有する。
【００２９】
さらに、ＣＲユニット４０は、予め遊技店に登録処理された遊技店会員に付与される会員カードに関付けられた貯玉を引き落とすいわゆる再プレイの機能を有する。なお、貯玉とは、景品と持ち玉の交換制御を行う景品管理装置（図示せず）で会員により預け入れ処理された持ち玉（獲得玉）を指す。
【００３０】
なお、このＣＲユニット４０では、島端に設置されるカード発行機に遊技客が赴く不便を解消する観点から、装置内部に複数枚のプリペイドカードをスタックしており、これらのうちの１枚のプリペイドカード（例えば、カード挿入口に近いカード）を関連付け対象とし、当該関連付け対象のプリペイドカードに記録されたプリペイドカードＩＤ（以下、単にカードＩＤと言う）に対応するプリペイド残度数又は持ち玉の価値高を後述する価値管理装置１０で加算更新または減算更新させることにより、プリペイドカードに対する価値高の関連付けを行うこととしている。
【００３１】
そして、本実施例では、持ち玉及びプリペイド残度数が関連付けられるプリペイドカードの機能と、貯玉が関連付けられる会員カードの機能とを併せ持つプリペイド一体型会員カード（以下、単に会員カードと言う）を会員に付与するものとする。
【００３２】
言い換えれば、非会員である一般の遊技客に付与されるプリペイドカードには、持ち玉とプリペイド残度数の２つの価値項目の価値高が関連付けられ、また、会員に付与される会員カードには、上記２つの価値項目に貯玉を加えた３つの価値項目の価値高が関連付けられることになる。なお、本実施例では、プリペイド度数、持ち玉、貯玉などの遊技価値に関する項目が特許請求の範囲における「価値項目」に対応し、これらの価値の大きさ、すなわちプリペイド残度数、持ち玉数及び貯玉数が特許請求の範囲における「価値高」に対応する。
【００３３】
価値管理装置１０は、後述する一般用価値管理テーブル１４ｃ及び会員用価値管理テーブル１４ｄの２つのテーブルを用いて、非会員である一般の遊技客及び会員が保有する各価値項目の価値高を管理する管理装置である。一般用価値管理テーブル１４ｃは、カードＩＤ、プリペイド残度数及び持ち玉数を対応付けて記憶し、また、会員用価値管理テーブル１４ｄは、カードＩＤ、プリペイド残度数、持ち玉及び貯玉を対応付けて記憶している。
【００３４】
そして、価値管理装置１０では、ＣＲユニット４０からカードＩＤを含むプリペイド残度数もしくは持ち玉の加算依頼を受け付けた場合に、カードＩＤに該当するプリペイド残度数または持ち玉を加算処理し、一方、ＣＲユニット４０からカードＩＤを含むプリペイド残度数、持ち玉もしくは貯玉の減算依頼を受け付けた場合に、該当するカードＩＤのプリペイド残度数、持ち玉または貯玉数を減算処理する。なお、貯玉の加算については、持ち玉が関連付けられたプリペイドカードを用いて景品管理装置で行われる。
【００３５】
なお、本実施例では、プリペイド残度数については、ＣＲユニット４０および価値管理装置１０の間で常に同期を取りつつ最新の残度数を両者によって管理する一方で、持ち玉数については、プリペイドカードの返却が行われるまではＣＲユニット４０内でローカルに管理し、プリペイドカードの返却時に持ち玉数をカードＩＤに対応付けて価値管理装置１０に通知することとしている。
【００３６】
このように、本実施例では、カード返却に合わせて持ち玉を関連付けることとしたが、必ずしも持ち玉の関連付けをカード返却時に行う必要はなく、プリペイド残度数もしくは持ち玉が発生してカード返却が必要となってからカードが返却されるまでの任意のタイミングで価値項目の価値高を関連付けることができる。
【００３７】
ここで、本実施例では、価値項目ごとに当該価値項目の価値高を別管理して保管する保管処理を行うか、或いはゼロクリアして取り込む取込処理を行うかを示す保管／取込設定を記憶しておき、所定の操作者から指示入力を受け付けた場合もしくは所定の時刻に至った場合に、ＣＲユニット４０で関連付け対象とされたプリペイドカードのカードＩＤに関連付けられる価値項目の価値高もしくは価値管理装置１０によって当該プリペイドカードのカードＩＤに既に対応付けて記憶された価値項目の価値高を価値項目の種別に応じて取得し、取得した各価値項目の価値高の有無を判定し、いずれかの価値項目に価値高が存在すると判定した場合に、当該価値高が存在する価値項目の価値高を価値項目ごとに記憶した保管／取込設定に従って保管処理または取込処理する点にその特徴がある。
【００３８】
すなわち、遊技店の営業終了後には、景品管理装置でセーフ数及びアウト数の差分値と交換済み玉数とを比較する締上げ処理が行われるが、持ち玉がＣＲユニット４０でローカル管理されている場合には、これらの価値項目の価値高がＣＲユニット４０に残ったままとなり、締上げ処理を正確に行うことはできない。
【００３９】
このように、営業終了後にＣＲユニット４０で持ち玉がローカル管理される場合に、カード返却操作を行って持ち玉が関連付けられたプリペイドカードの発行を受け、このプリペイドカードを景品管理装置に持ち込み、この景品管理装置で遊技店の雑利益として持ち玉を取り込む操作を行うより、宙に浮いたままの持ち玉の所在を確定させることも考えられる。
【００４０】
しかしながら、景品管理装置で締上げ処理を正確に行うには、持ち玉が残留する全てのＣＲユニット４０で同様の操作を必要があるため、プリペイドカードの回収作業ならびに景品管理装置での取込作業を膨大な件数について行わねばならず、他の閉店業務を阻害してしまうという問題がある。
【００４１】
また、プリペイドカードに大量の持ち玉が関連付けられている場合には、遊技客が後日に持ち玉の返却を申し出るケースも十分に考えられるため、持ち玉を遊技店の雑利益として画一的に取り込んだ場合には、遊技客から持ち玉が関連付けられたカードの補償に関する申し出に対応することができず、遊技店と遊技客との間でのトラブルの原因ともなってしまう。
【００４２】
そこで、本実施例では、プリペイド度数や持ち玉などの価値項目について保管処理または取込処理のいずれを実行するのかをあらかじめ任意に設定しておき、遊技店の営業終了後にプリペイド残度数ありもしくは持ち玉ありのプリペイドカードがＣＲユニット４０内に存在する場合には、価値項目ごとに定めておいた設定に従ってプリペイド残度数もしくは持ち玉を保管処理または取込処理する。
【００４３】
例えば、プリペイド度数及び持ち玉に取込処理が設定されていた場合には、ＣＲユニット４０でカード返却操作を行ってプリペイドカードを回収し、景品管理装置でプリペイド残度数及び持ち玉を手動でゼロクリアする作業を不要化することができる。
【００４４】
また、プリペイド度数及び持ち玉に保管処理が設定されていた場合には、価値管理装置１０側で翌営業日以降に使用され得る価値高として別管理することができる。このため、景品管理装置で締上げ処理を行うに際して交換済み玉数が差分値を超えた場合に、その超過分が別管理分（保管処理された価値高分）の玉数以内であれば、不正計数は行われていないものと見做すことができる。さらに、かかる保管処理を行っておけば、後日に遊技客から価値高が関連付けられたカードの補償に関する申し出を受け付けた場合でも対応することができる。また、価値高が残るプリペイドカードを回収する作業は必要なものの、景品管理装置でプリペイド残度数及び持ち玉を手動でゼロクリアする作業を不要化することができる。
【００４５】
このように、本実施例では、価値項目に保管処理または取込処理のいずれを設定していた場合でも全ての価値項目の価値高の所在を明確にすることができ、これを実現するに際して従業員によるプリペイドカードの回収作業を低減するとともに景品管理装置での取込作業を不要化することができる。
【００４６】
したがって、本実施例では、他の閉店業務を阻害することなく、営業終了後の締上げ処理を正確に行うことが可能になる。
【００４７】
続いて、本実施例に係る価値管理装置の構成を説明する。図２は、本実施例に係る価値管理装置の構成を示す機能ブロック図である。同図に示すように、この価値管理装置１０は、入力部１１と、表示部１２と、通信Ｉ／Ｆ部１３と、記憶部１４と、制御部１５とを有する。
【００４８】
入力部１１は、キーボードやマウス等の入力デバイスであり、表示部１２は、液晶パネルやディスプレイ等の表示デバイスであり、また、通信Ｉ／Ｆ部１３は、島コントローラ２０及びＣＲユニット４０との間でデータ通信を行うためのインターフェースである。
【００４９】
記憶部１４は、ハードディスク装置や不揮発性メモリ等の記憶デバイスであり、たとえば各価値項目に対する保管設定または取込設定を管理する保管／取込設定管理テーブル１４ａと、プリペイド度数もしくは持ち玉の価値高を取込処理した際のゼロクリアログを管理するゼロクリアログテーブル１４ｂと、非会員である一般の遊技客が保有する価値項目ごとの価値高を管理する一般用価値管理テーブル１４ｃと、会員が保有する価値項目ごとの価値高を管理する会員用管理テーブル１４ｄとを併せて記憶する。
【００５０】
保管／取込設定管理テーブル１４ａは、図３に示すように、カード区分ごとにプリペイド度数の保管／取込設定及び持ち玉の保管／取込設定を記憶したテーブルである。図３に示す例では、カード区分が会員である会員カード及びカード区分が一般であるプリペイドカードの両方とも、プリペイド残度数及び持ち玉に保管処理を適用する保管設定が定められていることを示している。なお、ここでは、全てのカード区分及び全ての価値項目に保管設定を適用することとしたが、保管／取込設定管理テーブル１４ａに対する設定の変更は入力部１１等を介して任意に行うことができる。
【００５１】
ゼロクリアログテーブル１４ｂは、図４に示すように、取り込み日付、台番号、カードＩＤ、価値項目及び価値高を記憶したテーブルである。図４に示す例では、１２３番台のＣＲユニット４０に放置されていたカードＩＤ「２２２２２」の持ち玉「３６個」を９月３日に取り込み、また、４５６番台のＣＲユニット４０に放置されていたカードＩＤ「４５４５４」のプリペイド度数「５度数」を９月３日に取り込んだことを示している。
【００５２】
一般用価値管理テーブル１４ｃは、図５及び図６に示すように、カードＩＤごとにプリペイド残度数、持ち玉数、取り忘れフラグ、取り忘れ台番号及び取り忘れ日を記憶したテーブルである。ここで、取り忘れフラグは、本営業日以前にＣＲユニット４０で取り忘れられたプリペイドカードであるか否かを表すフラグであり、取り忘れ台番号とは、プリペイドカードが取り忘れられたＣＲユニット４０の台番号を表し、また、取り忘れ日とは、プリペイドカードが取り忘れられた日付を表す。なお、一般の遊技客が使用するプリペイドカードには、１００００番以降の番号がカードＩＤとして付与されることとしている。
【００５３】
図５に示す例では、プリペイド残度数及び持ち玉の両方に保管設定がなされていたとした時の９月４日の営業終了直前のテーブル構成例を示しており、この例では、カードＩＤ「１２３４５」及び「２２３４５」のプリペイドカードについてはプリペイド残度数及び持ち玉に価値高がない一方で、カードＩＤ「３２３４５」のプリペイドカードは９月１日にプリペイド度数が５度数残ったままの状態で１７７番台のＣＲユニット４０に放置され、カードＩＤ「４２３４５」のプリペイドカードは８月２１日に持ち玉が７３個残ったままの状態で１１１番台のＣＲユニット４０に放置されていたことを示している。なお、カードＩＤ「３２３４５」のプリペイドカードには、プリペイド残度数が５度数、カードＩＤ「５２３４５」のプリペイドカードには、プリペイド度数が６０度数残ったままで営業終了をむかえようとしていることを示している。
【００５４】
図６に示す例では、プリペイド残度数及び持ち玉の両方に取込設定がなされていたとした時の９月４日の営業終了直前のテーブル構成例を示しており、この例では、カードＩＤ「２２３４５」及び「３２３４５」のプリペイドカードについては、プリペイド残度数及び持ち玉に価値高がない一方で、カードＩＤ「１２３４５」のプリペイドカードにはプリペイド度数が１５度数、カードＩＤ「５２３４５」のプリペイドカードにはプリペイド度数が６０度数残ったままで営業終了をむかえようとしていることを示している。
【００５５】
なお、以下では、プリペイドカードについては、プリペイド度数及び持ち玉に保管設定が行われているケース並びにプリペイド度数及び持ち玉に取込設定が行われているケースの両方の例を併記しながら説明する一方、会員カードについては、取り忘れられたとしても身分確認が簡易であるため、持ち主に返却されること、すなわちプリペイド度数及び持ち玉に保管設定が行われているケースを前提に説明を進めることとする。
【００５６】
会員用価値管理テーブル１４ｄは、図７に示すように、カードＩＤごとにプリペイド残度数、持ち玉数、貯玉数、取り忘れフラグ、取り忘れ台番号及び取り忘れ日を記憶したテーブルである。なお、会員が使用する会員カードには、００００１番〜００００９番までの番号がカードＩＤとして付与されることとしている。
【００５７】
図７に示す例では、９月４日の営業終了直前のテーブル構成例を示しており、カードＩＤ「００００４」の会員カードは８月２１日にプリペイド度数が１０度数残ったままの状態で０７６番台のＣＲユニット４０に放置されていたことを示しており、また、カードＩＤ「００００１」の会員カードはプリペイド度数が４５度数を残したままで営業終了をむかえようとしていることを示している。
【００５８】
制御部１５は、価値管理装置１０を全体制御する制御部であり、保管／取込設定受付部１５ａと、カードデータ取得部１５ｂと、カード判定部１５ｃと、保管／取込処理部１５ｄとを有する。実際には、これらの機能部に対応するプログラムを図示しないＲＯＭや不揮発性メモリに記憶しておき、これらのプログラムをＣＰＵにロードして実行し、保管／取込設定受付部１５ａ、カードデータ取得部１５ｂ、カード判定部１５ｃ及び保管／取込処理部１５ｄにそれぞれ対応するプロセスを実行させることになる。
【００５９】
保管／取込設定受付部１５ａは、保管／取込設定管理テーブル１４ａに対する保管／取込設定を受け付ける処理部である。具体的には、入力部１１を介して保管処理または取込処理の設定要求を受け付けた場合に、表示部１２に保管／取込設定画面（図９参照）を表示させ、この保管／取込設定画面上で保管処理または取込処理のいずれを実行するのかの指示入力をカード区分及び価値項目の組合せごとに受け付け、設定ボタンの押下操作を受け付けたならば、保管／取込設定画面上で受け付けたカード区分及び価値項目の組合せごとの保管設定または取込設定を保管／取込設定管理テーブル１４ａに登録する。
【００６０】
カードデータ取得部１５ｂは、ＣＲユニット４０で関連付け対象とされたプリペイドカードに関するデータを取得する処理部である。具体的には、遊技店の営業終了時刻から所定期間を経過した時刻に至った場合に、店内に配設されたＣＲユニット４０に対して、関連付け対象とするプリペイドカードのカードデータを台番号順に問い合わせる。
【００６１】
ここで、カードデータ取得部１５ｂは、かかるカードデータとして、問合せ先のＣＲユニット４０で関連付け対象とされたプリペイドカードのカードＩＤに将来的に関連付けられる持ち玉の価値高（ＣＲユニット４０内でローカル管理される持ち玉の価値高）、関連付け対象とされたプリペイドカードのカードＩＤ及び問合せ先のＣＲユニット４０の台番号を問い合わせることとした。
【００６２】
前述したように、持ち玉は、カード返却が行われるまでＣＲユニット４０でローカル管理される一方で、プリペイド度数は、一般用価値管理テーブル１４ｃまたは会員用価値管理テーブル１４ｄで最新のプリペイド残度数が管理されている。
【００６３】
このため、持ち玉の価値高については、ＣＲユニット４０から直接取得できるのでそのまま問い合わせる一方で、プリペイド残度数については、一般用価値管理テーブル１４ｃまたは会員用価値管理テーブル１４ｄから目的のデータを取得するためにカードＩＤを要するため、カードＩＤを問い合わせることとしている。
【００６４】
そして、カードデータ取得部１５ｂは、このようにして得たカードＩＤに対応するプリペイド度数を一般用価値管理テーブル１４ｃまたは会員用価値管理テーブル１４ｄから読み出す。
【００６５】
このようにして、関連付け対象とされたプリペイドカードの持ち玉の価値高及びプリペイド残度数が取得されることになる。
【００６６】
また、問合せ先のＣＲユニット４０の台番号をカードデータとして問い合わせることとしたのは、いずれかの価値項目について保管処理を実行した時に取り忘れカードの由来を記憶しておき、後日に遊技客から持ち玉の補償に関する申し出があった場合に、申し出を行う遊技客が本当に取り忘れカードで遊技していた者であるかを確認できるようにするためである。このように台番号を取得しておけば、申し出の内容の矛盾の有無、遊技場に設置されたカメラで撮像された画像（動画を含む）用いて容姿の確認などを行うことができる。
【００６７】
カード判定部１５ｃは、プリペイドカードに関する各種判定を行う処理部である。具体的には、カードデータ取得部１５ｂによって取得された持ち玉の価値高及びプリペイド残度数に価値高が存在するか否かを判定し、持ち玉またはプリペイド度数の少なくともいずれかの価値項目に価値高が存在する場合に、関連付け対象とされたカードのカードＩＤが会員用価値管理テーブル１４ｄ内に登録されているか否か、すなわちＣＲユニット４０で価値高が残留するカードが会員カードであるか否かをさらに判定する。
【００６８】
保管／取込処理部１５ｄは、保管／取込設定管理テーブル１４ａを用いて、カード判定部１５ｃによって価値高が存在すると判定された価値項目の価値高を保管処理または取込処理する処理部である。
【００６９】
詳細は図１０〜図１５を用いて後述するが、概要としては、持ち玉またはプリペイド残度数のいずれかの価値項目に価値高が残っている場合に、保管／取込設定管理テーブル１４ａを参照して、価値高が存在する価値項目に対応する保管設定または取込設定にしたがって保管処理または取込処理を行う。ここで、価値高が残留するカードが会員カードまたは一般のプリペイドカードであるのかによって同じ保管処理を行うにあたってもその処理内容は異なる。なお、保管処理の処理内容が異なる点については、図１２及び図１４を用いて後述する。
【００７０】
次に、本実施例に係る価値管理装置の処理の流れについて説明する。なお、ここでは、カード区分及び価値項目ごとに保管処理または取込処理を設定する（１）保管／取込設定処理を説明してから、保管／取込設定にしたがって行われる（２）保管／取込処理を説明することとする。
【００７１】
（１）保管／取込設定処理
前述したように、ここでは、本実施例に係る保管／取込設定処理について説明する。図８は、本実施例に係る保管／取込設定処理の手順を示すフローチャートである。
【００７２】
図８に示すように、入力部１１を介して保管処理または取込処理の設定要求を受け付けると（ステップＳ１０１肯定）、保管／取込設定受付部１５ａは、図９に示す保管／取込設定画面を表示させる（ステップＳ１０２）。
【００７３】
そして、保管／取込設定受付部１５ａは、図９に示した保管／取込設定画面上で保管処理または取込処理のいずれを実行するのかの指示入力をカード区分及び価値項目の組合せごとに受け付ける（ステップＳ１０３）。
【００７４】
その後、保管／取込設定受付部１５ａは、保管／取込設定画面上でカード区分及び価値項目の組合せごとに受け付けた保管設定または取込設定を保管／取込設定管理テーブル１４ａに登録し（ステップＳ１０４）、処理を終了する。
【００７５】
このようにして、保管／取込設定管理テーブル１４ａ内の保管／取込設定が登録されたり、保管／取込設定が更新されたり、また、保管／取込設定が初期化されたりする。
【００７６】
（２）保管／取込処理
次に、本実施例に係る保管／取込処理について説明する。図１０は、本実施例に係る保管／取込処理の手順を示すフローチャートである。なお、ここでは、遊技店の営業終了時刻から所定期間を経過した時刻に至ったことを条件に処理が起動されることとするが、遊技客が遊技台に着席していなければ営業終了時刻よりも前もしくは営業終了時刻にカードデータを取得してもよいし、また、入力部１１を介してカードデータを取得すべき旨の指示入力を受け付けるようにしてもかまわない。
【００７７】
図１０に示すように、遊技店の営業終了時刻から所定期間を経過した時刻に至った場合（ステップＳ２０１肯定）に、カードデータ取得部１５ｂは、店内に配設されたＣＲユニット４０で関連付け対象とされたプリペイドカードのカードデータを台番号順に問い合わせる（ステップＳ２０２）。なお、この問合せにより得られたカードデータからカードデータ取得部１５ｂによってプリペイド残度数及び持ち玉数が特定される。
【００７８】
続いて、カード判定部１５ｃは、プリペイド度数もしくは持ち玉のいずれかの価値項目に価値高が存在するか否かを判定し（ステップＳ２０３）、その結果、いずれかの価値項目に価値高が存在する場合（ステップＳ２０３肯定）には、関連付け対象とされたカードのカードＩＤが会員用価値管理テーブル１４ｄ内に登録されているか否か、すなわち価値高が残留するカードが会員カードであるか否かをさらに判定する（ステップＳ２０４）。
【００７９】
そして、価値高が残留するカードが会員カードである場合（ステップＳ２０４肯定）には、保管／取込処理部１５ｄは、会員カード対応の保管処理を行い（ステップＳ２０５）、価値高が残留するカードが一般のプリペイドカードである場合（ステップＳ２０４否定）には、一般カード対応の保管／取込処理を行う（ステップＳ２０６）。
【００８０】
また、いずれの価値項目にも価値高が存在しない場合（ステップＳ２０３否定）には、全ての台番号にカードデータの問合せが終了するまで（ステップＳ２０７否定）、台番号を昇順にカードデータの問合せを行う（ステップＳ２０２）。
【００８１】
ここで、図１１を用いて、ステップＳ２０５における会員カード対応の保管処理について説明する。図１１は、本実施例に係る会員カード対応の保管処理の手順を示すフローチャートである。
【００８２】
図１１に示すように、会員カードにプリペイド残度数が残っている場合（ステップＳ３０１肯定）には、保管／取込処理部１５ｄは、会員用価値管理テーブル１４ｄを参照して、カードデータ取得部１５ｂによってカードデータとして取得されたカードＩＤに当該プリペイド残度数の救済期間を設定するとともに（ステップＳ３０２）、取り忘れフラグをＯＮに設定する（ステップＳ３０３）。なお、会員カードにプリペイド残度数が残っていない場合（ステップＳ３０１否定）には、プリペイド残度数の保管処理は行われずにステップＳ３０４に移行する。
【００８３】
例えば、図１２の例で言えば、カードＩＤ「００００１」の会員カードには、プリペイド残度数が４５度数残されたままで営業終了時刻をむかえている。このカードＩＤ「００００１」のプリペイド残度数に保管処理を行う場合には、当該カードＩＤ「００００１」のレコードにカードデータの問合せ先のＣＲユニット４０の台番号「０６６」を取り忘れ台番号として書き込み、保管処理を実行する日付である取り忘れ日として９月４日を書き込むとともに、取り忘れフラグをＯＮに設定する。このように取り忘れ日を書き込んでおけば、後述するように取り忘れ日から救済期間（例えば、２週間）が経過するまでプリペイド残度数を保管しておき、救済期間経過後に遊技店の雑利益として取り込むことが可能になる。
【００８４】
図１１の説明に戻り、会員カードに持ち玉が残っている場合（ステップＳ３０４肯定）には、保管／取込処理部１５ｄは、会員用価値管理テーブル１４ｄを参照して、カードデータとして得られたカードＩＤにカード返却時には持ち玉として関連付けられる予定であった持ち玉数を当該カードＩＤの貯玉残高に加算更新（移行）し（ステップＳ３０５）、処理を終了する。なお、会員カードに持ち玉が残っていない場合（ステップＳ３０４否定）には、そのまま処理を終了する。
【００８５】
例えば、図１２の例で言えば、カードＩＤ「００００２」の会員カードが挿入されていたＣＲユニット４０でローカル管理されている２１００個の持ち玉に対して保管処理を行うとした時、このカードＩＤ「００００２」に以前から関連付けられている５９００個の貯玉残高に２１００個の持ち玉を加算更新して貯玉残高を８０００個とする。これによって、原則として当日限りにしか使用できない持ち玉から保管期間が限定されない貯玉に性質を変化させて管理するとともにこの保管処理に際して景品カウンタで持ち玉を貯玉に加算する作業を省き、本来の持ち玉の規定を堅持しつつ、会員に便宜を図ることとした。
【００８６】
このように、会員カードにいずれかの価値項目の価値高が残っている場合には、原則として会員カードが身分確認の後に会員に返却されることを前提に保管処理を行い、特に、持ち玉が残っていた場合には、そのままカード取り忘れの持ち玉として管理するのではなく、持ち玉を貯玉に移行することにより持ち玉を翌営業日以降に持ち越さずに貯玉として管理することとしている。
【００８７】
次に、図１３を用いて、ステップＳ２０６における一般カード対応の保管／取込処理について説明する。図１３は、本実施例に係る一般カード対応の保管／取込処理の手順を示すフローチャートである。
【００８８】
図１３に示すように、プリペイドカードにプリペイド残度数が残っている場合（ステップＳ４０１肯定）には、保管／取込処理部１５ｄは、保管／取込設定管理テーブル１４ａを参照して、カード区分が「一般」であるプリペイド残度数に保管設定がなされているか否かを判定する（ステップＳ４０２）。
【００８９】
このとき、カード区分が「一般」であるプリペイド残度数に保管設定がなされていた場合（ステップＳ４０２肯定）には、保管／取込処理部１５ｄは、一般用価値管理テーブル１４ｃを参照して、カードデータ取得部１５ｂによってカードデータとして取得されたカードＩＤに当該プリペイド残度数の救済期間を設定するとともに（ステップＳ４０３）、取り忘れフラグをＯＮに設定する（ステップＳ４０４）。
【００９０】
例えば、図１４の例で言えば、カードＩＤ「５２３４５」のプリペイドカードには、プリペイド残度数が６０度数残されたままで営業終了時刻をむかえている。このカードＩＤ「５２３４５」のプリペイド残度数に保管処理を行う場合には、当該カードＩＤ「５２３４５」のレコードにカードデータの問合せ先のＣＲユニット４０の台番号「３３３」を取り忘れ台番号として書き込み、保管処理を実行する日付である取り忘れ日として９月４日を書き込むとともに、取り忘れフラグをＯＮに設定する。このように、プリペイド残度数の保管処理については、会員カードと同様の保管処理を行う。
【００９１】
図１３の説明に戻り、カード区分が「一般」であるプリペイド残度数に取込設定がなされていた場合（ステップＳ４０２否定）には、保管／取込処理部１５ｄは、一般用価値管理テーブル１４ｃを参照して、カードデータ取得部１５ｂによってカードデータとして取得されたカードＩＤのプリペイド残度数をゼロクリアするとともに、取込処理を実行した取込日付、価値項目、価値高、カードＩＤ及び台番号を含んで構成されるゼロクリアログをゼロクリアログテーブル１４ｂに登録する（ステップＳ４０５及びステップＳ４０６）。
【００９２】
例えば、図１５の例で言えば、カードＩＤ「１２３４５」のプリペイドカードにはプリペイド度数が１５度数残されており、また、カードＩＤ「５２３４５」のプリペイドカードにはプリペイド残度数が６０度数残されたままで営業終了時刻をむかえている。
【００９３】
これらのカードＩＤ「１２３４５」及び「５２３４５」のプリペイド残度数に取込処理を行う場合には、両カードＩＤのプリペイド残度数をゼロクリアするとともに、ゼロクリアによる取込処理を実行した取込日付「９月４日」と、価値項目「プリペイド残度数」と、価値高「１５」並びに「６０」と、カードＩＤ「１２３４５」並びに「５２３４５」と、問合せ先のＣＲユニット４０の台番号「０１２」並びに「３３３」とを含んで構成されるゼロクリアログをゼロクリアログテーブル１４ｂに登録する。これによって、遊技店の営業終了後にプリペイド残度数が残されたままで放置されたプリペイドカードに取込処理を行った場合に遊技店の雑利益に関する履歴を取ることができる。
【００９４】
図１３の説明に戻り、プリペイドカードに持ち玉が残っている場合（ステップＳ４０７肯定）には、保管／取込処理部１５ｄは、保管／取込設定管理テーブル１４ａを参照して、カード区分が「一般」である持ち玉に保管設定がなされているか否かを判定する（ステップＳ４０８）。
【００９５】
このとき、カード区分が「一般」である持ち玉に保管設定がなされていた場合（ステップＳ４０８肯定）には、保管／取込処理部１５ｄは、一般用価値管理テーブル１４ｃを参照して、カードデータ取得部１５ｂによってカードデータとして取得されたカードＩＤに当該持ち玉の救済期間を設定するとともに（ステップＳ４０９）、取り忘れフラグをＯＮに設定し（ステップＳ４１０）、処理を終了する。
【００９６】
例えば、図１４の例で言えば、カードＩＤ「５２３４５」のプリペイドカードが挿入されていたＣＲユニット４０でローカル管理されている３５６０個の持ち玉に対して保管処理を行うとした時、当該カードＩＤ「５２３４５」のレコードにカードデータの問合せ先のＣＲユニット４０の台番号「３３３」を取り忘れ台番号として書き込み、保管処理を実行する日付である取り忘れ日として９月４日を書き込むとともに、取り忘れフラグをＯＮに設定する。
【００９７】
一方、カード区分が「一般」である持ち玉に取込設定がなされていた場合（ステップＳ４０８否定）には、保管／取込処理部１５ｄは、一般用価値管理テーブル１４ｃを参照して、カードデータ取得部１５ｂによってカードデータとして取得されたカードＩＤの持ち玉をゼロクリアするとともに、取込処理を実行した取込日付、価値項目、価値高、カードＩＤ及び台番号を含んで構成されるゼロクリアログをゼロクリアログテーブル１４ｂに登録し（ステップＳ４１１及びステップＳ４１２）、処理を終了する。
【００９８】
例えば、図１５の例で言えば、カードＩＤ「４２３４５」のプリペイドカードが挿入されていたＣＲユニット４０で１個の持ち玉がローカル管理されており、また、カードＩＤ「５２３４５」のプリペイドカードが挿入されていたＣＲユニット４０で３５６０個の持ち玉がローカル管理されたままで営業終了時刻をむかえている。
【００９９】
これらのカードＩＤ「４２３４５」及び「５２３４５」の持ち玉に取込処理を行う場合には、両カードＩＤの持ち玉をゼロクリアするとともに、ゼロクリアによる取込処理を実行した取込日付「９月４日」と、価値項目「持ち玉」と、価値高「１」並びに「３５６０」と、カードＩＤ「４２３４５」並びに「５２３４５」と、問合せ先のＣＲユニット４０の台番号「３６３」並びに「３３３」とを含んで構成されるゼロクリアログをゼロクリアログテーブル１４ｂに登録する。これによって、遊技店の営業終了後に持ち玉が残されたままで放置されたプリペイドカードに取込処理を行った場合に遊技店の雑利益に関する履歴を取ることができる。
【０１００】
このように、一般のプリペイドカードにいずれかの価値項目の価値高が残っている場合には、保管／取込設定管理テーブル１４ａによってカード区分及び価値項目ごとに定められた保管設定または取込設定にしたがって保管処理または取込処理を行う。
【０１０１】
図１０の説明に戻り、全ての台番号にカードデータの問合せが終了すると（ステップＳ２０７肯定）、保管／取込処理部１５ｄは、一般用価値管理テーブル１４ｃ及び会員用価値管理テーブル１４ｄの中に救済期間切れの価値高が存在するか否かを判定する（ステップＳ２０８）。なお、救済期間切れの価値高が存在しない場合（ステップＳ２０８否定）には、そのまま処理を終了する。
【０１０２】
ここで、救済期間切れの価値高が存在する場合（ステップＳ２０８肯定）には、保管／取込処理部１５ｄは、救済期限切れの価値高をゼロクリアするとともに（ステップＳ２０９）、取込処理を実行した取込日付、価値項目、価値高、カードＩＤ及び台番号を含んで構成されるゼロクリアログをゼロクリアログテーブル１４ｂに登録し（ステップＳ２１０）、処理を終了する。
【０１０３】
例えば、図１２に示す会員用価値管理テーブル１４ｄの例で言えば、取り忘れカードとしては、８月２１日に台番号０７６のＣＲユニット４０でプリペイド残度数が１０度数残ったままで放置されていたカードＩＤ「００００４」の会員カードが存在する。そして、たとえば現在の日付を９月４日とした時には、８月２１日の翌日である８月２２日から起算して２週間が経過することになるため、このような救済期間を途過したカードＩＤ「００００４」のプリペイド残度数についてはゼロクリアし、ゼロクリアによる取込処理を実行した取込日付「９月４日」と、価値項目「プリペイド残度数」と、価値高「１０」と、カードＩＤ「００００４」と、問合せ先のＣＲユニット４０の台番号「０７６」とを含んで構成されるゼロクリアログをゼロクリアログテーブル１４ｂに登録する。
【０１０４】
また、図１４に示す一般用価値管理テーブル１４ｃの例で言えば、取り忘れカードとしては、９月１日に台番号１７７のＣＲユニット４０でプリペイド残度数が５度数残ったままで放置されていたカードＩＤ「３２３４５」のプリペイドカードと、８月２１に台番号１１１のＣＲユニット４０で持ち玉が７３個残ったままで放置されていたカードＩＤ「４２３４５」のプリペイドカードとが存在する。
【０１０５】
そして、たとえば現在の日付を９月４日とした時には、９月１日に保管されたカードＩＤ「３２３４５」のプリペイドカードは救済期間を途過しないものの、８月２１に保管されたカードＩＤ「４２３４５」のプリペイドカードは２週間とした救済期間を途過することになる。
【０１０６】
このような救済期間を途過したカードＩＤ「４２３４５」の持ち玉についてはゼロクリアし、ゼロクリアによる取込処理を実行した取込日付「９月４日」と、価値項目「持ち玉」と、価値高「７３」と、カードＩＤ「４２３４５」と、問合せ先のＣＲユニット４０の台番号「１１１」とを含んで構成されるゼロクリアログをゼロクリアログテーブル１４ｂに登録する。
【０１０７】
このようにして、持ち玉やプリペイド残度数を取り忘れフラグを用いて別管理して保管する場合に、一定の救済期間の間については会員を含む遊技客から申し出が行われた場合に備えて保管しておくとともに、救済期間を途過した持ち玉やプリペイド残度数についてはゼロクリアして遊技店の雑利益として取り込むこととした。これによって、保管処理される件数が過度に蓄積される事態を防止することが可能になる。
【０１０８】
そして、取り忘れカードとして保管されたカードは、会員カードの場合には加入時に個人情報が遊技店に登録されているため、この個人情報をもとに身分確認が行い、会員カードの返却を求める者が会員本人であると確認された後に会員カードが返却されることになる。一方、一般のプリペイドカードには、一般用価値管理テーブル１４ｃによって記憶された取り忘れ日及び取り忘れ台番号と、返却を求める遊技客が申告する日時や場所の申告とが一致し、かつ遊技場に設置されたカメラによって撮像された画像であって申告内容に合致する画像を参照し、返却を求める遊技客がプリペイドカードの保有者本人であると確認された後にプリペイドカードが返却されることになる。
【０１０９】
上述してきたように、本実施例では、価値項目ごとに当該価値項目の価値高を別管理して保管する保管処理を行うか、或いはゼロクリアして取り込む取込処理を行うかを示す保管／取込設定を記憶しておき、所定の操作者から指示入力を受け付けた場合もしくは所定の時刻に至った場合に、ＣＲユニット４０で関連付け対象とされたプリペイドカードのカードＩＤに関連付けられる価値項目の価値高もしくは価値管理装置１０によって当該プリペイドカードのカードＩＤに既に対応付けて記憶された価値項目の価値高を価値項目の種別に応じて取得し、取得した各価値項目の価値高の有無を判定し、いずれかの価値項目に価値高が存在すると判定した場合に、当該価値高が存在する価値項目の価値高を価値項目ごとに記憶した保管／取込設定に従って保管処理または取込処理するように構成したので、他の閉店業務を阻害することなく、営業終了後の締上げ処理を正確に行うことが可能である。
【０１１０】
さらに、本実施例では、会員カード対応の保管処理、或いは一般カード対応の保管処理を行った場合には、保管処理を行ったカードを保持するＣＲユニット４０に会員カードまたはプリペイドカードを返却するように指示することとした。すなわち、これによって、取り忘れカードを回収するためにカード返却操作を行う必要がなくなる結果、プリペイドカードの回収作業を効率よく行うことが可能になる。
【０１１１】
なお、本実施例では、価値管理装置１０で保管処理した取り忘れカードを遊技客や会員に返却することとしたが、返却を行ったプリペイドカードや会員カードには取り忘れフラグがＯＮ設定されているため、従業員による特定の操作（例えば、従業員ＩＤやパスワードなどの認証情報の入力操作など）を経て取り忘れフラグがＯＦＦに設定されなければ、玉貸し、持ち玉返却、精算や景品交換に使用することはできない。
【０１１２】
このように取り忘れフラグを設けることとしたのは、一般のプリペイドカードと保管処理が行われた取り忘れカードとを区別して管理するとともに、取り忘れカードが不正を行う従業員に利用されることを防止するためである。
【０１１３】
また、取り忘れカードを遊技客に返却した後に持ち玉を持ち玉返却にそのまま使用できることとしたのでは、一部の遊技客に特権を付与することになってしまう。すなわち、再プレイに手数料等が設けられている場合には、救済期間内に持ち玉が関連付けられたプリペイドカードの返却を受けた遊技客に遊技での持ち玉の使用を認めると、再プレイに手数料を課される会員よりも優遇してしまう結果となる。このため、かかる場合には、取り忘れカードについては景品管理装置での景品交換にしか使用できないようにするのが好ましい。
【０１１４】
なお、本実施例では、保管／取込設定管理テーブル１４ａに取込設定がなされた価値項目の価値高を画一的に取り込むこととしたが、取り込むプリペイド度数もしくは持ち玉の価値高が多くなるほど後日に遊技客が取り忘れカードの返却を求める可能性が高く、このような場合に補償できないことは遊技店と遊技客との間に険悪な溝を作ってしまうことになる。
【０１１５】
本実施例では、１台の管理装置（価値管理装置１０）で処理したが、プリペイド価値管理装置、持ち玉管理装置等の複数の管理装置を通信可能に設置し、協同で処理するようにしてもよい。
【０１１６】
このような事態を避けるために、本発明では、カードデータ取得部１５ｂによって取得されたプリペイド残度数や持ち玉の価値高が所定値、たとえばプリペイド残度数の場合には３０度数、持ち玉の場合には３０００個以上である場合には、保管／取込設定管理テーブル１４ａに取込設定がなされていたとしても保管処理を行うようにしてもよい。
【０１１７】
これに対して、営業終了後にＣＲユニット４０に残されたプリペイド度数もしくは持ち玉の価値高が少ないほど遊技客が破棄した可能性が高く、このような場合にプリペイド度数もしくは持ち玉の価値高を保管処理したとしても後日に遊技客が取り忘れカードの返却を申し出ることなく救済期間を途過する可能性が高い。
【０１１８】
かかる無駄な保管件数の増大を避けるために、本発明では、カードデータ取得部１５ｂによって取得されたプリペイド残度数や持ち玉の価値高が所定値、たとえばプリペイド残度数の場合には５度数、持ち玉の場合には１００個未満である場合には、保管／取込設定管理テーブル１４ａに保管設定がなされていたとしても取込処理を行うようにしてもよい。
【０１１９】
また、本実施例では、特定の価値項目に対する設定が保管処理から取込処理に再設定された場合には、再設定されるまでに保管処理されていた価値項目の価値高をその時点で取り込むか、或いは救済期間を途過した時点で取り込むかは任意に設定することができる。
【０１２０】
また、本実施例では、プリペイド残度数、持ち玉及び貯玉を併せて管理する価値管理装置として統合した場合について説明したが、必ずしも３者を統合して構成する必要はなく、プリペイド残度数を管理する残度数管理装置と、持ち玉を管理する持ち玉管理装置と、貯玉を管理する貯玉管理装置とに一部または全部を分散して構成する場合にも本発明を同様に適用することができる。
【０１２１】
なお、本実施例では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店に本発明を適用する例を説明したが、本発明はこれに限定されるものではなく、ゲームセンタ等の遊技施設にも同様に適用することができる。
【０１２２】
また、本実施例では、各台計数機をＣＲユニット内下部に設けた例を説明したが、本発明はこれに限定されるものではなく、各台計数機がＣＲユニットと別体に設けられ、ＣＲユニットと通信可能に接続されている各台計数システムにも本発明を同様に適用することができる。
【産業上の利用可能性】
【０１２３】
以上のように、本発明に係る価値管理装置、価値管理方法、及び価値管理システムは、他の閉店業務を阻害することなく、営業終了後の締上げ処理を正確に行う場合に適している。
【図面の簡単な説明】
【０１２４】
【図１】本実施例に係る各台計数システムのシステム構成図である。
【図２】本実施例に係る価値管理装置の構成を示す機能ブロック図である。
【図３】保管／取込設定管理テーブルに記憶される情報の構成例を示す図である。
【図４】ゼロクリアログテーブルに記憶される情報の構成例を示す図である。
【図５】一般用価値管理テーブルに記憶される情報の構成例を示す図である。
【図６】一般用価値管理テーブルに記憶される情報の構成例を示す図である。
【図７】会員用価値管理テーブルに記憶される情報の構成例を示す図である。
【図８】本実施例に係る保管／取込設定処理の手順を示すフローチャートである。
【図９】表示部に表示される画面の構成例を示す図である。
【図１０】本実施例に係る保管／取込処理の手順を示すフローチャートである。
【図１１】本実施例に係る会員カード対応の保管処理の手順を示すフローチャートである。
【図１２】会員カードに保管処理を行う場合の処理内容を説明するための説明図である。
【図１３】本実施例に係る一般カード対応の保管／取込処理の手順を示すフローチャートである。
【図１４】プリペイドカードに保管処理を行う場合の処理内容を説明するための説明図である。
【図１５】プリペイドカードに取込処理を行う場合の処理内容を説明するための説明図である。
【符号の説明】
【０１２５】
１    各台計数システム
１０    価値管理装置
１１    入力部
１２    表示部
１３    通信Ｉ／Ｆ部
１４    記憶部
１４ａ  保管／取込設定管理テーブル
１４ｂ  ゼロクリアログテーブル
１４ｃ  一般用価値管理テーブル
１４ｄ  会員用価値管理テーブル
１５    制御部
１５ａ  保管／取込設定受付部
１５ｂ  カードデータ取得部
１５ｃ  カード判定部
１５ｄ  保管／取込処理部
２０    島コントローラ
３０    パチンコ機
４０    計数機能付きＣＲユニット
【図１】
2010088517.tif 000003
【図２】
2010088517.tif 000004
【図３】
2010088517.tif 000005
【図４】
2010088517.tif 000006
【図５】
2010088517.tif 000007
【図６】
2010088517.tif 000008
【図７】
2010088517.tif 000009
【図８】
2010088517.tif 000010
【図９】
2010088517.tif 000011
【図１０】
2010088517.tif 000012
【図１１】
2010088517.tif 000013
【図１２】
2010088517.tif 000014
【図１３】
2010088517.tif 000015
【図１４】
2010088517.tif 000016
【図１５】
2010088517.tif 000017